【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
局部発振器（ＬＯ）信号を生成する方法であって、
周期的に電源オンおよびオフされるＬＯジェネレータで、周波数変換に使用されるＬＯ信号を生成することと、
前記ＬＯジェネレータが電源オンされると前記ＬＯ信号の位相を検出することと、前記検出された前記ＬＯ信号の位相は、前記ＬＯ信号の位相不連続性を識別するために使用される、
前記ＬＯジェネレータが電源オンされると前記ＬＯ信号の前記位相を検出するために使用されるシングルトーン信号を生成することと、
周波数コンバートされた信号を得るために前記シングルトーン信号を前記ＬＯ信号で周波数コンバートすることと、ここにおいて、前記ＬＯ信号の前記位相を前記検出することは、前記周波数コンバートされた信号に基づいて前記ＬＯ信号の前記位相を検出することを備える、
を備える、方法。
【請求項２】
前記周波数変換は、ダウンコンバートされた信号を取得するために前記シングルトーン信号を前記ＬＯ信号でダウンコンバートすることであり、および、ここにおいて、前記ＬＯ信号の前記位相を前記検出することは、前記ダウンコンバートされた信号に基づいて前記ＬＯ信号の前記位相を検出することを備える、請求項１に記載の方法。
【請求項３】
前記ダウンコンバートされた信号に基づいて前記ＬＯ信号の前記位相を前記検出することは、
９０度位相が異なる４つの信号を備えるフィルタされた信号を取得するために前記ダウンコンバートされた信号をフィルタすることと、
参照時間において前記４つの信号の位相を検出することと、および、
前記参照時間において前記検出された前記４つの信号の位相に基づいて前記ＬＯ信号の前記位相を決定することと、
を備える、
請求項２に記載の方法。
【請求項４】
キャリブレーションモードにおいて前記シングルトーン信号を前記ＬＯ信号でダウンコンバートすることと、および、
受信モードにおいて増幅された無線周波数（ＲＦ）信号を前記ＬＯ信号でダウンコンバートすることと、
をさらに備える、請求項１に記載の方法。
【請求項５】
前記ＬＯ信号は９０度位相が異なる４つの信号を備え、前記方法は、
前記ＬＯ信号の位相不連続性を修正するために前記ＬＯ信号の前記４つの信号をスワップすることをさらに備える、
請求項１に記載の方法。
【請求項６】
ダウンコンバートされた信号を取得するために増幅された無線周波数（ＲＦ）信号を前記ＬＯ信号でダウンコンバートすることと、
前記ダウンコンバートされた信号に基づいて同相（Ｉ）および直交（Ｑ）サンプルを生成することと、および、
前記ＬＯ信号の位相不連続性を修正するために前記ＩおよびＱサンプルを回転させることと、
をさらに備える、請求項１に記載の方法。
【請求項７】
ダウンリンク受信のための時間間隔より前に前記ＬＯジェネレータを電源オンすることと、および、
アップリンク送信のための時間間隔のうちの少なくとも一部の間に前記ＬＯジェネレータを電源オフすることと、
をさらに備える、請求項１に記載の方法。
【請求項８】
ワイヤレス通信のための装置であって、
周波数変換に使用される局部発振器（ＬＯ）信号を生成するための手段と、生成するための前記手段は、周期的に電源オンおよびオフされる、
生成するための前記手段が電源オンされると前記ＬＯ信号の位相を検出するための手段と、前記検出された前記ＬＯ信号の位相は、前記ＬＯ信号の位相不連続性を識別するために使用される、
生成するための前記手段が電源オンされると前記ＬＯ信号の前記位相を検出するために使用されるシングルトーン信号を生成するための手段と、
周波数コンバートされた信号を得るために前記シングルトーン信号を前記ＬＯ信号で周波数コンバートするための手段と、ここにおいて、前記ＬＯ信号の前記位相を前記検出することは、前記周波数コンバートされた信号に基づいて前記ＬＯ信号の前記位相を検出することを備える、
を備える、装置。
【請求項９】
周波数変換のための前記手段は、ダウンコンバートされた信号を取得するために前記シングルトーン信号を前記ＬＯ信号でダウンコンバートするための手段を備え、および、ここにおいて、前記ＬＯ信号の前記位相を検出するための前記手段は、前記ダウンコンバートされた信号に基づいて前記ＬＯ信号の前記位相を検出するための手段を備える、請求項８に記載の装置。
【請求項１０】
前記ダウンコンバートされた信号に基づいて前記ＬＯ信号の前記位相を検出するための前記手段は、
９０度位相が異なる４つの信号を備えるフィルタされた信号を取得するために前記ダウンコンバートされた信号をフィルタするための手段と、
参照時間において前記４つの信号の位相を検出するための手段と、および、
前記参照時間において前記検出された前記４つの信号の位相に基づいて前記ＬＯ信号の前記位相を決定するための手段と、
を備える、請求項９に記載の装置。
【請求項１１】
キャリブレーションモードにおいて前記シングルトーン信号を前記ＬＯ信号でダウンコンバートし、および、受信モードにおいて増幅された無線周波数（ＲＦ）信号を前記ＬＯ信号でダウンコンバートするための手段を、さらに備える、請求項８に記載の装置。
【請求項１２】
前記検出された前記ＬＯ信号の位相に基づいて前記ＬＯ信号の位相不連続性を修正するための手段を、さらに備える、請求項８に記載の装置。
【請求項１３】
ダウンリンク受信のための時間間隔より前に、生成するための前記手段を電源オンするための手段と、および、
アップリンク送信のための時間間隔のうちの少なくとも一部の間に、生成するための前記手段を電源オフするための手段と、
をさらに備える、請求項８に記載の装置。
【請求項１４】
位相を検出するための前記手段は、
第２の測定間隔のためのデジタルサンプルに対して第１の測定間隔のためのデジタルサンプルを相互相関し、および、
相互相関の結果に基づいて前記第１の測定間隔と第２の測定間隔との間の位相変化を決定するように構成される、
請求項８に記載の装置。
【請求項１５】
少なくとも１つのプロセッサに、請求項１乃至７のうちのいずれか１項に記載のステップを実行させるためのコードを備える、非一時的なコンピュータ可読媒体。
【手続補正２】
【補正対象書類名】明細書
【補正対象項目名】００８５
【補正方法】変更
【補正の内容】
【００８５】
[0091]  本開示の先の説明は、本開示を製造または使用することをいずれの当業者にも可能にさせるために提供される。本開示に対するさまざまな変更は、当業者に容易に理解され、本明細書において定義された一般的な原理は、本開示の精神または範囲から逸脱せずに、他の変形例に適用され得る。したがって、本開示は、本明細書で説明された例および設計に限定されるように意図されたものではなく、本明細書で開示された原理および新規な特徴と一致する最も広い範囲が付与されるべきである。
以下に、出願当初の特許請求の範囲に記載された発明を付記する。
［Ｃ１］
装置であって、
周波数変換に使用される局部発振器（ＬＯ）信号を生成するように構成されるＬＯジェネレータと、前記ＬＯジェネレータは、周期的に電源オンおよびオフされる、および、
前記ＬＯジェネレータが電源オンされると前記ＬＯ信号の位相を検出するように構成された位相検出器と、前記検出された前記ＬＯ信号の位相は、前記ＬＯ信号の位相不連続性を識別するために使用される、
を備える、装置。
［Ｃ２］
前記ＬＯジェネレータが電源オンされると前記ＬＯ信号の前記位相を検出するために使用されるシングルトーン信号を生成するように構成されたシングルトーンジェネレータをさらに備える、Ｃ１に記載の装置。
［Ｃ３］
前記シングルトーンジェネレータは、
前記シングルトーン信号を導出するために使用される発振器信号を生成するように構成された発振器と、および、
参照信号と前記発振器信号を受信し、および、前記発振器のための制御信号を生成するように構成された位相ロックループ（ＰＬＬ）と、
を備える、
Ｃ２に記載の装置。
［Ｃ４］
前記ＬＯジェネレータは第１の周波数において前記ＬＯ信号を生成するように構成され、および、前記シングルトーンジェネレータは前記第１の周波数とは異なる第２の周波数において前記シングルトーン信号を生成するように構成される、
Ｃ２に記載の装置。
［Ｃ５］
前記ＬＯジェネレータは第１の周波数において前記ＬＯ信号を生成するように構成され、および、前記シングルトーンジェネレータは前記第１の周波数とは異なる複数の周波数において前記シングルトーン信号を生成するように構成される、
Ｃ２に記載の装置。
［Ｃ６］
前記ＬＯジェネレータは、
参照信号を受信し、発振器信号を提供するように構成された周波数シンセサイザと、および、
前記発振器信号を周波数において分周し、および、前記ＬＯ信号を提供するように構成された分周器と、
を備える、
Ｃ１に記載の装置。
［Ｃ７］
前記分周器は、電源オンされると複数の可能な状態のうちの１つにあり、および、前記分周器の前記複数の可能な状態は、前記ＬＯ信号の異なる位相に関連付けられる、
Ｃ６に記載の装置。
［Ｃ８］
前記シングルトーン信号を前記ＬＯ信号でダウンコンバートし、および、ダウンコンバートされた信号を提供するように構成されたダウンコンバータ、前記位相検出器は、前記ダウンコンバートされた信号に基づいて前記ＬＯ信号の前記位相を検出するように構成されている、をさらに備える、Ｃ２に記載の装置。
［Ｃ９］
前記ダウンコンバータは、キャリブレーションモードにおいて前記シングルトーン信号を前記ＬＯ信号でダウンコンバートするように、および、受信モードにおいて低雑音増幅器（ＬＮＡ）からの増幅された無線周波数（ＲＦ）信号を前記ＬＯ信号でダウンコンバートするように構成されている、
Ｃ８に記載の装置。
［Ｃ１０］
前記位相検出器は、
前記ダウンコンバータから前記ダウンコンバートされた信号を受信し、９０度位相が異なる４つの信号を備えるフィルタされた信号を提供するように構成された少なくとも１つのローパスフィルタと、および、
前記４つの信号の前記位相を検出し、前記ＬＯ信号の前記位相を決定するように構成された位相検出回路と、
を備える、
Ｃ８に記載の装置。
［Ｃ１１］
前記位相検出回路は、前記ＬＯ信号のターゲット位相が既知である参照時間において前記４つの信号の前記位相を検出するように構成される、Ｃ１０に記載の装置。
［Ｃ１２］
前記位相検出器は、
第２の測定間隔のためのデジタルサンプルに対して第１の測定間隔のためのデジタルサンプルを相互相関し、および、
相互相関の結果に基づいて前記第１の測定間隔と第２の測定間隔との間の位相変化を決定するように構成される、
Ｃ１に記載の装置。
［Ｃ１３］
前記検出された前記ＬＯ信号の位相は、０〜２πラジアンの範囲内にある、Ｃ１に記載の装置。
［Ｃ１４］
前記検出された前記ＬＯ信号の位相に基づいて前記ＬＯ信号の位相不連続性を修正するように構成された位相修正器をさらに備える、Ｃ１に記載の装置。
［Ｃ１５］
前記ＬＯ信号は、９０度位相が異なる４つの信号を備え、前記位相修正器は、前記ＬＯ信号の位相不連続性を修正するために前記ＬＯ信号の前記４つの信号をスワップするように構成される、Ｃ１４に記載の装置。
［Ｃ１６］
前記位相修正器は、前記ＬＯ信号の位相不連続性を修正するためにダウンコンバートされた信号から取得された同相（Ｉ）および直交（Ｑ）サンプルを回転させるように構成される、Ｃ１４に記載の装置。
［Ｃ１７］
前記位相検出器は、２つの時間間隔の間の位相変化を検出するように構成され、および、前記位相修正器は、前記ＬＯ信号の位相不連続性を修正するために前記検出された位相変化を補償するように構成される、Ｃ１４に記載の装置。
［Ｃ１８］
前記ＬＯジェネレータは、ダウンリンク受信のための時間間隔より前に電源オンされ、および、アップリンク送信のための時間間隔のうちの少なくとも一部の間に電源オフされる、Ｃ１に記載の装置。
［Ｃ１９］
前記シングルトーンジェネレータは、前記ＬＯジェネレータのキャリブレーション中にイネーブルとなり、キャリブレーションが完了するとディスエーブルとなる、Ｃ２に記載の装置。
［Ｃ２０］
局部発振器（ＬＯ）信号を生成する方法であって、
周期的に電源オンおよびオフされるＬＯジェネレータで、周波数変換に使用されるＬＯ信号を生成することと、および、
前記ＬＯジェネレータが電源オンされると前記ＬＯ信号の位相を検出することと、前記検出された前記ＬＯ信号の位相は、前記ＬＯ信号の位相不連続性を識別するために使用される、
を備える、方法。
［Ｃ２１］
前記ＬＯジェネレータが電源オンされると前記ＬＯ信号の前記位相を検出するために使用されるシングルトーン信号を生成することをさらに備える、Ｃ２０に記載の方法。
［Ｃ２２］
ダウンコンバートされた信号を取得するために前記シングルトーン信号を前記ＬＯ信号でダウンコンバートすること、および、ここにおいて、前記ＬＯ信号の前記位相を前記検出することは、前記ダウンコンバートされた信号に基づいて前記ＬＯ信号の前記位相を検出することを備える、
をさらに備える、Ｃ２１に記載の方法。
［Ｃ２３］
前記ダウンコンバートされた信号に基づいて前記ＬＯ信号の前記位相を前記検出することは、
９０度位相が異なる４つの信号を備えるフィルタされた信号を取得するために前記ダウンコンバートされた信号をフィルタすることと、
参照時間において前記４つの信号の位相を検出することと、および、
前記参照時間において前記検出された前記４つの信号の位相に基づいて前記ＬＯ信号の前記位相を決定することと、
を備える、
Ｃ２２に記載の方法。
［Ｃ２４］
キャリブレーションモードにおいて前記シングルトーン信号を前記ＬＯ信号でダウンコンバートすることと、および、
受信モードにおいて増幅された無線周波数（ＲＦ）信号を前記ＬＯ信号でダウンコンバートすることと、
をさらに備える、Ｃ２１に記載の方法。
［Ｃ２５］
前記ＬＯ信号は９０度位相が異なる４つの信号を備え、前記方法は、
前記ＬＯ信号の位相不連続性を修正するために前記ＬＯ信号の前記４つの信号をスワップすることをさらに備える、
Ｃ２０に記載の方法。
［Ｃ２６］
ダウンコンバートされた信号を取得するために増幅された無線周波数（ＲＦ）信号を前記ＬＯ信号でダウンコンバートすることと、
前記ダウンコンバートされた信号に基づいて同相（Ｉ）および直交（Ｑ）サンプルを生成することと、および、
前記ＬＯ信号の位相不連続性を修正するために前記ＩおよびＱサンプルを回転させることと、
をさらに備える、Ｃ２０に記載の方法。
［Ｃ２７］
ダウンリンク受信のための時間間隔より前に前記ＬＯジェネレータを電源オンすることと、および、
アップリンク送信のための時間間隔のうちの少なくとも一部の間に前記ＬＯジェネレータを電源オフすることと、
をさらに備える、Ｃ２０に記載の方法。
［Ｃ２８］
ワイヤレス通信のための装置であって、
周波数変換に使用される局部発振器（ＬＯ）信号を生成するための手段と、生成するための前記手段は、周期的に電源オンおよびオフされる、および、
生成するための前記手段が電源オンされると前記ＬＯ信号の位相を検出するための手段と、前記検出された前記ＬＯ信号の位相は、前記ＬＯ信号の位相不連続性を識別するために使用される、
を備える、装置。
［Ｃ２９］
生成するための前記手段が電源オンされると前記ＬＯ信号の前記位相を検出するために使用されるシングルトーン信号を生成するための手段をさらに備える、Ｃ２８に記載の装置。
［Ｃ３０］
ダウンコンバートされた信号を取得するために前記シングルトーン信号を前記ＬＯ信号でダウンコンバートするための手段、および、ここにおいて、前記ＬＯ信号の前記位相を検出するための前記手段は、前記ダウンコンバートされた信号に基づいて前記ＬＯ信号の前記位相を検出するための手段を備える、
をさらに備える、Ｃ２９に記載の装置。
［Ｃ３１］
前記ダウンコンバートされた信号に基づいて前記ＬＯ信号の前記位相を検出するための前記手段は、
９０度位相が異なる４つの信号を備えるフィルタされた信号を取得するために前記ダウンコンバートされた信号をフィルタするための手段と、
参照時間において前記４つの信号の位相を検出するための手段と、および、
前記参照時間において前記検出された前記４つの信号の位相に基づいて前記ＬＯ信号の前記位相を決定するための手段と、
を備える、
Ｃ３０に記載の装置。
［Ｃ３２］
キャリブレーションモードにおいて前記シングルトーン信号を前記ＬＯ信号でダウンコンバートし、および、受信モードにおいて増幅された無線周波数（ＲＦ）信号を前記ＬＯ信号でダウンコンバートするための手段を、さらに備える、Ｃ２９に記載の装置。
［Ｃ３３］
前記検出された前記ＬＯ信号の位相に基づいて前記ＬＯ信号の位相不連続性を修正するための手段を、さらに備える、Ｃ２８に記載の装置。
［Ｃ３４］
ダウンリンク受信のための時間間隔より前に、生成するための前記手段を電源オンするための手段と、および、
アップリンク送信のための時間間隔のうちの少なくとも一部の間に、生成するための前記手段を電源オフするための手段と、
をさらに備える、Ｃ２８に記載の装置。
［Ｃ３５］
コンピュータプログラム製品であって、
少なくとも１つのプロセッサに、周期的に電源オンおよびオフされるＬＯジェネレータによる、周波数変換に使用される局部発振器（ＬＯ）信号の生成を、指示させるためのコードと、および、
前記少なくとも１つのプロセッサに、前記ＬＯジェネレータが電源オンされると前記ＬＯ信号の位相の検出を、指示させるためのコードと、前記検出された前記ＬＯ信号の位相は、前記ＬＯ信号の位相不連続性を識別するために使用される、
を備える、非一時的なコンピュータ可読媒体、
を備える、コンピュータプログラム製品。